(57)【要約】【課題】屋根構造体の樋による排水性能を確保しつつ、屋根構造体の天井の意匠性を向上する。【解決手段】屋根構造体１は、水下桁３に取り付けられて水下桁３の長手方向に対して傾斜して延びる樋枠１０と、樋枠１０に取り付けられた屋根面材と、屋根面材の下側に配置された天井材２０を備える。取付材３０は、水下桁３に取り付けられて、水下桁３の長手方向に対して平行に延びる。支持材４０は、取付材３０に取り付けられて、取付材３０の長手方向に交差する方向に延びる。天井材２０は、支持材４０に取り付けられる。【選択図】  図２
2020159129.tif 000002
【特許請求の範囲】
【請求項１】
桁に取り付けられて前記桁の長手方向に対して傾斜して延びる樋枠と、前記樋枠に取り付けられた屋根面材と、前記屋根面材の下側に配置された天井材と、を備えた屋根構造体であって、
前記桁に取り付けられて前記桁の長手方向に対して平行に延びる取付材と、
前記取付材に取り付けられて前記取付材の長手方向に交差する方向に延び、前記天井材が取り付けられる支持材と、を備えた屋根構造体。
【請求項２】
請求項１に記載された屋根構造体において、
前記取付材は、前記支持材と当接して前記支持材が取り付けられる当接部を有する屋根構造体。
【請求項３】
請求項１又は２に記載された屋根構造体において、
前記支持材は、連結材により、前記樋枠に連結された屋根構造体。
【請求項４】
請求項３に記載された屋根構造体において、
前記連結材は、前記樋枠に取り付けられる取付部を有し、前記取付部の位置を変更可能に前記支持材に取り付けられた屋根構造体。
【請求項５】
請求項１ないし４のいずれかに記載された屋根構造体において、
前記天井材は、前記取付材に係合して取り付けられる係合部を有する屋根構造体。
【発明の詳細な説明】
【技術分野】
【０００１】
本発明は、屋根面材の下側に配置された天井材を備えた屋根構造体に関する。
【背景技術】
【０００２】
屋根構造体は、一般に、屋根面に設けられた屋根面材と、溝状の樋を備えている。雨天時に、屋根構造体は、屋根面材で雨水を受けて、樋により雨水を排水する。また、従来、フレーム体の奥行方向梁に沿って雨樋（樋）を設け、屋根体（屋根面材）の縁部を雨樋に取り付けた屋外構造体が知られている（特許文献１参照）。
【０００３】
特許文献１に記載された従来の屋外構造体では、雨樋は、屋根体から受ける雨水を排水するため、水勾配を有しており、奥行方向梁の長手方向に対して傾斜した状態で、奥行方向梁に取り付けられる。また、屋根体は、雨水を雨樋に向かって流すため、水勾配を有しており、水下側に位置する雨樋に取り付けられる。雨樋と屋根体のそれぞれが水勾配を有することで、屋根体は、捻じれるように２つの水勾配の方向に傾く。そのため、屋根体に天井材を取り付けると、天井材が屋根体と同様に傾いて配置されて、天井材からなる天井が地面に対して斜めに設置される。これに伴い、下側から見上げたときの天井の意匠性が低下することがある。
【先行技術文献】
【特許文献】
【０００４】
【特許文献１】特許第５１９２４１８号公報
【発明の概要】
【発明が解決しようとする課題】
【０００５】
本発明は、前記従来の問題に鑑みなされたもので、その目的は、屋根構造体の樋による排水性能を確保しつつ、屋根構造体の天井の意匠性を向上することである。
【課題を解決するための手段】
【０００６】
本発明は、桁に取り付けられて前記桁の長手方向に対して傾斜して延びる樋枠と、前記樋枠に取り付けられた屋根面材と、前記屋根面材の下側に配置された天井材と、を備えた屋根構造体であって、前記桁に取り付けられて前記桁の長手方向に対して平行に延びる取付材と、前記取付材に取り付けられて前記取付材の長手方向に交差する方向に延び、前記天井材が取り付けられる支持材と、を備えた屋根構造体である。
【発明の効果】
【０００７】
本発明によれば、屋根構造体の樋による排水性能を確保しつつ、屋根構造体の天井の意匠性を向上することができる。
【図面の簡単な説明】
【０００８】
【図１】本実施形態の屋根構造体を示す斜視図である。
【図２】本実施形態の屋根構造体の要部を示す斜視図である。
【図３】本実施形態の支持材と連結材を示す斜視図である。
【図４】本実施形態の屋根構造体の組立過程の一部を示す断面図である。
【図５】本実施形態の屋根構造体の組立過程の一部を示す断面図である。
【図６】本実施形態の屋根構造体の組立過程の一部を示す断面図である。
【図７】本実施形態の屋根構造体の組立過程の一部を示す断面図である。
【図８】本実施形態の屋根構造体の組立過程の一部を示す断面図である。
【発明を実施するための形態】
【０００９】
本発明の屋根構造体の一実施形態について、図面を参照して説明する。
本実施形態の屋根構造体は、屋外構造物（例えば、カーポート、テラス、ポーチ、サンルーム）に設置される屋根であり、屋外構造物内の空間を覆う。屋根構造体は、水（雨水）を受けたときに、樋により排水する。
【００１０】
図１は、本実施形態の屋根構造体１を示す斜視図である。
図示のように、屋根構造体１は、上下方向に沿って延びる複数の支柱２と、支柱２に取り付けられた複数の桁３〜５（水下桁３、水上桁４、一対の側桁５）と、桁３〜５に連結された屋根面材６を備えている。ここでは、屋根構造体１及び屋根面材６は、平面視で矩形状に形成されており、屋根構造体１は、４つの支柱２と４つの桁３〜５を備えている。支柱２は、屋根構造体１の四隅で地面に設置され、互いに間隔を開けて配置されている。桁３〜５は、それぞれ２つの支柱２に架け渡されており、桁３〜５の長手方向の端部は、それぞれ支柱２の上部に取り付けられている。４つの桁３〜５は、矩形状に配置されて、支柱２により支持されている。
【００１１】
屋根面材６は、屋根構造体１の屋根面に設けられる屋根部であり、桁３〜５に囲まれた矩形状の領域に配置されている。桁３〜５は、屋根面材６を支持する屋根用の支持材であり、屋根面材６の４つの縁部に沿って配置されて、屋根面材６の縁部をそれぞれ支持している。屋根面材６は、水勾配Ｋを有しており、水平方向に対して傾斜している。屋根面材６の水勾配Ｋは、水上側（水上桁４側）から水下側（水下桁３側）に向かって下る下り勾配（下り傾斜）であり、屋根面材６は、水上側から水下側に向かって次第に下るように傾斜して設置されている。屋根面材６で雨水を受けたときに、雨水は、屋根面材６の上を水上側から水下側に向かって流れる。
【００１２】
水下桁３は、屋根面材６の水下側に設けられて、屋根面材６の水下側の縁部に沿って配置されている。屋根面材６の水下側の縁部は、水下桁３に連結されて、水下側支持材である水下桁３により支持されている。水上桁４は、屋根面材６の水上側に設けられて、屋根面材６の水上側の縁部に沿って配置されている。屋根面材６の水上側の縁部は、水上桁４に連結されて、水上側支持材である水上桁４により支持されている。
【００１３】
側桁５は、屋根面材６の側方に設けられて、屋根面材６の側方の縁部（側縁部）に沿って配置されている。屋根面材６の側方は、屋根面材６において水勾配Ｋに直交する方向側であり、一対の側桁５は、屋根面材６の両側方に設けられている。屋根面材６の側縁部は、側桁５に連結されて、側方支持材である側桁５により支持されている。水下桁３の端部と側桁５の水下側の端部は、水下側の支柱２に取り付けられて、支柱２を介して互いに連結されている。水上桁４の端部と側桁５の水上側の端部は、水上側の支柱２に取り付けられて、支柱２を介して互いに連結されている。
【００１４】
屋根面材６は、屋根支持部材である複数の垂木６Ａと、屋根ふき材である複数の屋根パネル６Ｂを有している。垂木６Ａは、一対の側桁５の間で、互いに間隔を開けて並列しており、屋根面材６の水勾配Ｋに沿って延びる。屋根パネル６Ｂは、矩形状に形成されたパネル材であり、垂木６Ａにより支持されて、屋根面材６の水勾配Ｋに沿って配置されている。屋根パネル６Ｂの側縁部は、垂木６Ａに取り付けられており、屋根パネル６Ｂは、隣り合う２つの垂木６Ａの間の領域を覆う。垂木６Ａと屋根パネル６Ｂにより、屋根面材６の屋根面が形成されている。
【００１５】
図２は、本実施形態の屋根構造体１の要部を示す斜視図であり、屋根面材６の水下側の部分（図１の矢印Ｘ１方向からみた屋根構造体１の要部）を拡大して示している。図２では、屋根面材６の屋根パネル６Ｂを省略して、１つの垂木６Ａの周辺部分を示している。
図示のように、屋根構造体１は、屋根面材６の水下側の縁部に設けられた樋枠１０と、樋枠１０を保持する桁（保持桁）である水下桁３と、屋根面材６の下側に配置された天井材２０と、水下桁３に取り付けられた取付材３０と、天井材２０を支持する天井用の支持材４０を備えている。屋根面材６（水下側の縁部）は、樋枠１０に取り付けられており、樋枠１０により水下桁３に連結されている。天井材２０は、屋根面材６を下側から覆う。
【００１６】
水下桁３、樋枠１０、及び、取付材３０の延びる方向（長手方向）に関し、水下桁３、樋枠１０、及び、取付材３０は、それぞれの長手方向に延びる。また、樋枠１０及び樋枠１０の長手方向は、水下桁３の長手方向に対して傾斜して延び、樋枠１０は、水下桁３の長手方向に対して傾斜して配置されている。取付材３０及び取付材３０の長手方向は、水下桁３の長手方向に対して平行に延び、取付材３０は、水下桁３の長手方向に平行に配置されている。水下桁３の長手方向と取付材３０の長手方向は、水平方向であり、水下桁３と取付材３０は、水平方向に沿って延びる。
【００１７】
樋枠１０は、水平方向に対して傾斜して延びる屋根構造体１の樋であり、水勾配を有している。樋枠１０の水勾配は、樋枠１０の長手方向の一端部（水上側の端部）から他端部（水下側の端部）に向かって下る下り勾配である。樋枠１０の一端部は、樋枠１０の他端部よりも高い位置に配置されており、樋枠１０は、一端部から他端部に向かって次第に下るように傾斜して設置されている。樋枠１０で雨水を受けたときに、雨水は、樋枠１０の上を一端部側から他端部側に向かって流れて、排水される。
【００１８】
水下桁３は、中空部を有する中空形状に形成されており、樋枠１０に対して屋根面材６の水下側に隣接して配置されている。水下桁３と樋枠１０は、例えば、押出成形により形成された金属（例えば、アルミニウム合金）製の形材から形成されており、屋根面材６の水下側に並列して配置されている。樋枠１０は、屋根面材６の水下側の縁部及び水下桁３の長手方向に沿って配置されて、水下桁３に取り付けられている。ここでは、樋枠１０は、屋根面材６の前枠であり、水下桁３は、屋根構造体１の前桁である。
【００１９】
樋枠１０は、水下桁３から屋根面材６の水上側に向かって配置された底面部１１と、底面部１１の一方の縁部から立ち上がる取付壁１２と、底面部１１の他方の縁部から立ち上がる連結壁１３と、上方に向かって開放された凹状の排水溝部１４を有している。取付壁１２は、水下桁３の屋根面材６側の部分に沿って配置されて、水下桁３に取り付けられている。取付壁１２と連結壁１３は、間隔を開けて、互いに対峙している。屋根面材６の水下側で、垂木６Ａの端部は、連結壁１３に載置されており、垂木６Ａの端部及び屋根パネル６Ｂの端部は、連結壁１３の上部を覆うように配置されている。垂木６Ａの端部が連結壁１３に取り付けられて、屋根面材６の水下側の縁部が連結壁１３に連結されている。
【００２０】
排水溝部１４は、雨水を受ける水受け部（樋溝部）であり、底面部１１、取付壁１２、及び、連結壁１３により、上方に開口した溝状に形成されている。屋根面材６の上を流れる雨水は、連結壁１３を越えて、排水溝部１４内に流入する。また、雨水は、排水溝部１４内を樋枠１０の水上側から水下側に向かって流れて、排水溝部１４により排水される。樋枠１０の水下側の端部において、雨水は、底面部１１に形成された排水孔（図示せず）を通って、樋枠１０の排水溝部１４から排水される。
【００２１】
天井材２０は、屋根構造体１の天井面に設けられるパネル状の天井部（天井面材）であり、桁３〜５に囲まれた矩形状の領域で、水平方向に沿って配置されている。また、天井材２０は、屋根面材６、樋枠１０、取付材３０、及び、支持材４０の下側に配置されて、それらを下側から覆う。天井材２０は、細長い板状に形成された複数の天井パネル２１、２２を有しており、互いに接続された天井パネル２１、２２により、屋根構造体１の天井面を形成している。
【００２２】
複数の天井パネル２１、２２は、天井材２０の取付材３０側（水下桁３側）の縁部に位置する縁部用の天井パネル２１（第１天井パネル）と、天井パネル２１に続いて順に接続される接続用の天井パネル２２（第２天井パネル）からなる。天井パネル２１、２２は、一対の側桁５の間で、取付材３０の長手方向に沿って延びるとともに、水下桁３と水上桁４の間で、取付材３０の長手方向に交差する方向に順に並べて設けられている。天井材２０及び天井パネル２１、２２は、屋根面材６の下側で、支持材４０に取り付けられている。
【００２３】
支持材４０は、矩形状の断面形状に形成された中空部材であり、屋根面材６の下側で、取付材３０の長手方向（水下桁３の長手方向）に交差する方向に延びる。ここでは、取付材３０の長手方向に交差する方向は、取付材３０の長手方向に直交する方向である水平方向であり、支持材４０は、水下桁３と水上桁４の間で、取付材３０の長手方向に交差（直交）する水平方向に沿って延びる。また、隣り合う２つの垂木６Ａの間のそれぞれに１つ以上の支持材４０が設けられて、天井材２０及び天井パネル２１、２２が複数の支持材４０に取り付けられている。
【００２４】
複数の支持材４０は、屋根面材６の下側に併設されて、一対の側桁５の間で、互いに間隔を開けて並列している。支持材４０は、天井材２０の天井パネル２１、２２の上側、及び、屋根面材６の屋根パネル６Ｂの下側に配置されて、天井材２０と屋根面材６の間で、天井材２０に沿って延びる。また、支持材４０は、連結材５０を有しており、連結材５０により、樋枠１０に連結されている。連結材５０は、支持材４０の長手方向の端部（樋枠１０側の端部）と樋枠１０の連結壁１３に取り付けられており、支持材４０の端部を樋枠１０の連結壁１３に連結している。支持材４０の水上桁４側の端部（図示せず）は、例えば、アタッチメントを介して、水上桁４に連結されている。
【００２５】
図３は、本実施形態の支持材４０と連結材５０を示す斜視図であり、図２に示す支持材４０と連結材５０を分解して示している。
図示のように、連結材５０は、樋枠１０に取り付けられる取付部５１と、支持材４０に接続する接続部５２を有している。取付部５１は、矩形状に形成された取付板であり、両端部側に形成された２つの取付孔５３を有している。接続部５２は、それぞれネジ孔５４を有する２つの接続片であり、取付部５１から支持材４０に向かって突出して、支持材４０の端部の内側に配置される。接続部５２は、支持材４０の内側で、支持材４０の互いに対向する２つの壁部４１に当接して、壁部４１に沿って配置される。
【００２６】
支持材４０は、２つの壁部４１のそれぞれに形成された長孔４２を有している。長孔４２は、支持材４０の長手方向に長いルーズホールであり、接続部５２のネジ孔５４は、支持材４０の長孔４２と重なるように長孔４２の位置に合わせて配置される。ビス５５は、支持材４０の長孔４２を挿通した状態で、接続部５２のネジ孔５４に取り付けられて、連結材５０の接続部５２を支持材４０に接続する。連結材５０は、ビス５５を中心に、上側と下側に向かって回転して、取付部５１の向きを変更する。ビス５５は、支持材４０の長孔４２内で支持材４０の長手方向に変位する。連結材５０は、ビス５５と一体に支持材４０の長手方向に変位して、取付部５１と支持材４０の端部の間の距離を変更する。
【００２７】
連結材５０は、ビス５５と長孔４２により、支持材４０に回転可能に取り付けられるとともに、支持材４０の長手方向に変位可能に支持材４０に取り付けられる。これにより、連結材５０は、取付部５１の位置を変更可能に支持材４０に取り付けられる。連結材５０の取付部５１は、取付孔５３を挿通するビス５６により、樋枠１０の連結壁１３に設けられた所定の取付位置に取り付けられる（図２参照）。
【００２８】
樋枠１０の水勾配に伴い、樋枠１０の水上側と水下側で、連結材５０の取付部５１が取り付けられる取付位置が変化する。取付部５１の位置は、樋枠１０への取付位置に合わせて変更して調整される。その状態で、連結材５０の取付部５１は、樋枠１０の連結壁１３に当接して、ビス５６により、樋枠１０の連結壁１３に取り付けられる。また、ビス５５を締め付けることで、連結材５０の接続部５２が支持材４０に固定される。
【００２９】
図４〜図８は、本実施形態の屋根構造体１の組立過程の一部を示す断面図であり、図２の矢印Ｘ２方向からみた屋根構造体１の断面を示している。また、図４〜図７では、屋根面材６の垂木６Ａを省略している。
図示のように、樋枠１０は、アタッチメント１５（図４参照）を介して、水下桁３の長手方向に対して傾斜して配置され、水下桁３の屋根面材６側の部分に取り付けられている。アタッチメント１５は、ビス（図示せず）により、水下桁３に取り付けられている。樋枠１０の取付壁１２がアタッチメント１５に引っ掛けられて、ビス（図示せず）が取付壁１２及びアタッチメント１５を貫通して水下桁３に取り付けられている。
【００３０】
取付材３０は、樋枠１０の下側に配置されて、水下桁３の長手方向に対して平行に延び、上下方向において、樋枠１０の底面部１１と対向している。また、取付材３０は、樋枠１０よりも下側で、水下桁３の屋根面材６側の部分に沿って配置されて、ビス３１により、水下桁３に取り付けられる（図５参照）。取付材３０は、水下桁３から屋根面材６側に向かって突出し、樋枠１０の底面部１１に沿って連結壁１３を越えた位置まで配置されている。支持材４０の端部は、取付材３０に載置されて、ビス４３により、取付材３０に取り付けられる（図６参照）。
【００３１】
取付材３０は、水下桁３に固定される固定部３２と、支持材４０と当接する当接部３３と、天井材２０が係合する被係合部３４を有している。取付材３０の固定部３２は、水下桁３に沿って配置されて、ビス３１により、水下桁３に固定される。固定部３２は、取付材３０の当接部３３と被係合部３４の間に位置しており、当接部３３は、固定部３２の上端部から突出している。当接部３３は、板状の当接片であり、樋枠１０から支持材４０の下側位置まで突出している。支持材４０の端部は、当接部３３の先端側の部分（樋枠１０から突出する部分）に載置されて、取付材３０の当接部３３に当接している。取付材３０は、当接部３３により、支持材４０の端部の上下方向の位置を定めて、支持材４０の端部を位置決めする。
【００３２】
ビス４３は、取付材３０の当接部３３を貫通して、支持材４０に取り付けられる。支持材４０は、ビス４３により、取付材３０の当接部３３に取り付けられて、取付材３０の当接部３３に保持される。その状態で、連結材５０の取付部５１がビス５６により樋枠１０に取り付けられて、支持材４０が連結材５０により樋枠１０に連結する。支持材４０は、樋枠１０により支持されるとともに、取付材３０を支持する。取付材３０の被係合部３４は、固定部３２の下端部から突出する突片（被係合片）であり、当接部３３の下側に位置している。被係合部３４は、水下桁３から屋根面材６側に向かって水平方向に突出している。
【００３３】
天井材２０は、支持材４０及び取付材３０に取り付けられて、支持材４０及び取付材３０に支持されている（図７参照）。天井材２０の天井パネル２１（第１天井パネル）は、取付材３０の下側に配置されるとともに、水下桁３から支持材４０まで配置されて、取付材３０の全体を下側から覆う。また、天井パネル２１は、板状のパネル部２３、係合部２４、取付片２５、及び、被係合部２６を有している。天井パネル２１の係合部２４は、天井パネル２１の一方の縁部（水下桁３側の縁部）に形成され、天井パネル２１の取付片２５は、天井パネル２１の他方の縁部（支持材４０側の縁部）に形成されている。
【００３４】
天井パネル２１の係合部２４は、互いに対向する一対の係合片からなる。取付材３０の被係合部３４は、係合部２４の一対の係合片の間に配置されて、係合部２４と係合する。係合部２４は、被係合部３４を挟み込み、取付材３０の被係合部３４に係合して取り付けられる。天井材２０は、樋枠１０及び取付材３０の当接部３３の下側で、天井パネル２１の係合部２４により、取付材３０に係合して取り付けられる。天井パネル２１の取付片２５は、支持材４０の下側で、支持材４０に当接して、ビス２７により、支持材４０に取り付けられる。
【００３５】
天井パネル２１のパネル部２３は、天井パネル２１の被係合部２６と取付片２５の間に形成されている。天井パネル２１の被係合部２６は、水平方向に突出する突片（被係合片）であり、天井パネル２１の係合部２４とパネル部２３の間に形成されて、パネル部２３よりも下側に位置している。天井材２０の天井パネル２２（第２天井パネル）（図８参照）は、第１天井パネルである天井パネル２１と同様に、パネル部２３Ａ、係合部２４Ａ、取付片２５Ａ、及び、被係合部２６Ａを有している。天井パネル２２の係合部２４Ａは、天井パネル２２の一方の縁部に形成され、天井パネル２２の取付片２５Ａは、天井パネル２２の他方の縁部に形成されている。
【００３６】
天井パネル２２の係合部２４Ａは、互いに対向する一対の係合片からなる。２種類の天井パネル２１、２２が隣接する箇所では、天井パネル２１の被係合部２６は、隣接する天井パネル２２の係合部２４Ａの一対の係合片の間に配置されて、係合部２４Ａと係合する。２つの天井パネル２２が隣接する箇所では、天井パネル２２の被係合部２６Ａは、隣接する天井パネル２２の係合部２４Ａの一対の係合片の間に配置されて、係合部２４Ａと係合する。天井パネル２２の係合部２４Ａは、隣接する天井パネル２１、２２の被係合部２６、２６Ａを挟み込み、被係合部２６、２６Ａに係合して取り付けられる。天井パネル２２の取付片２５Ａは、支持材４０の下側で、支持材４０に当接して、ビス２７Ａにより、支持材４０に取り付けられる。
【００３７】
天井パネル２２は、取付片２５Ａ、及び、係合部２４Ａと係合する天井パネル２１、２２により、支持材４０に取り付けられる。天井パネル２２のパネル部２３Ａは、天井パネル２２の被係合部２６Ａと係合部２４Ａの間に形成されている。天井パネル２２の被係合部２６Ａは、水平方向に突出する突片（被係合片）であり、天井パネル２２の取付片２５Ａとパネル部２３Ａの間に形成されて、パネル部２３Ａよりも上側に位置している。取付材３０の下側で、天井パネル２２は、取付材３０に取り付けられた天井パネル２１に接続される。また、複数の天井パネル２２が、取付材３０側から水上桁４側に向かって順に接続される。天井パネル２１、２２及び天井材２０は、支持材４０の下側に取り付けられて、屋根構造体１の天井に設置される。
【００３８】
以上説明した屋根構造体１では、樋枠１０により円滑に排水することができる。また、水下桁３に平行な取付材３０に支持材４０を取り付け、天井材２０を支持材４０に取り付ける。そのため、天井材２０を屋根面材６及び樋枠１０から独立して配置することができ、屋根構造体１の天井に設置する天井材２０の外観の向上を図ることができる。屋根面材６の水勾配Ｋ及び樋枠１０の水勾配に関わらず、天井材２０が斜めに配置されるのを防止して、天井材２０を水平方向に沿って配置することもできる。従って、屋根構造体１の樋枠１０による排水性能を確保しつつ、下側から見上げたときの屋根構造体１の天井の意匠性を向上することができる。
【００３９】
支持材４０を取付材３０の長手方向の複数箇所に容易に設けることができ、支持材４０により天井材２０を確実に支持することができる。支持材４０の数を増やすことで、天井材２０における支持材４０により支持される箇所を増加させることができる。天井材２０を薄くしても、支持材４０の支持により、天井材２０の変形を抑制できるため、天井材２０の厚み及び自重を低減することができる。これにより、天井材２０を屋根構造体１の天井に容易に設置でき、天井材２０の施工時における負担を低減することができる。天井材２０のコストを削減することもできる。
【００４０】
支持材４０を連結材５０で樋枠１０に連結することで、支持材４０を樋枠１０により支持して、支持材４０を安定して配置することができる。また、支持材４０により取付材３０を支持して、取付材３０の変形（例えば、撓み）を抑制することができる。連結材５０の取付部５１の位置を変更することで、連結材５０の取付部５１の位置を調整して、連結材５０を樋枠１０に容易に取り付けることができる。
【００４１】
支持材４０と当接する取付材３０の当接部３３により、支持材４０を取付材３０への取付位置に正確に配置することができる。また、支持材４０を取付材３０の当接部３３に取り付けることで、支持材４０を取付材３０に容易に取り付けることができる。天井材２０の係合部２４を取付材３０に係合して取り付けており、天井材２０を取付材３０に対して正確に位置合わせして、天井材２０を取付材３０に容易に取り付けることができる。
【００４２】
なお、樋枠１０は、水下桁３に他の部材（例えば、アタッチメント１５）を介して間接に取り付けてもよく、水下桁３に直接に取り付けてもよい。樋枠１０の一方の端部側のみに側桁５を設けて、樋枠１０の他方の端部側に側桁５以外の部材（例えば、他の樋枠、建物の外壁）を設けるようにしてもよい。
【００４３】
本発明は、種々の屋根構造体、例えば、独立した屋根構造体、建物に併設された屋根構造体、支柱のみにより支持された屋根構造体、支柱と建物により支持された屋根構造体、建物のみにより支持された屋根構造体、又は、建物から張り出した屋根構造体に適用することができる。
【００４４】
以上のとおり、屋根構造体は、桁に取り付けられて前記桁の長手方向に対して傾斜して延びる樋枠と、前記樋枠に取り付けられた屋根面材と、前記屋根面材の下側に配置された天井材と、を備えた屋根構造体であって、
前記桁に取り付けられて前記桁の長手方向に対して平行に延びる取付材と、
前記取付材に取り付けられて前記取付材の長手方向に交差する方向に延び、前記天井材が取り付けられる支持材と、を備えた屋根構造体である。
この屋根構造体によれば、屋根構造体の樋による排水性能を確保しつつ、屋根構造体の天井の意匠性を向上することができる。
【００４５】
前記取付材は、前記支持材と当接して前記支持材が取り付けられる当接部を有する。
支持材と当接する取付材の当接部により、支持材を取付材への取付位置に正確に配置することができる。支持材を取付材の当接部に取り付けることで、支持材を取付材に容易に取り付けることができる。
【００４６】
前記支持材は、連結材により、前記樋枠に連結される。
支持材を樋枠に連結することで、支持材を樋枠により支持できるとともに、支持材により、取付材を支持することができる。
【００４７】
前記連結材は、前記樋枠に取り付けられる取付部を有し、前記取付部の位置を変更可能に前記支持材に取り付けられる。
連結材の取付部の位置を変更することで、連結材の取付部の位置を調整して、連結材を樋枠に容易に取り付けることができる。
【００４８】
前記天井材は、前記取付材に係合して取り付けられる係合部を有する。
取付材に係合する天井材の係合部により、天井材を取付材に対して正確に位置合わせして、天井材を取付材に容易に取り付けることができる。
【符号の説明】
【００４９】
１・・・屋根構造体、２・・・支柱、３・・・水下桁、４・・・水上桁、５・・・側桁、６・・・屋根面材、６Ａ・・・垂木、６Ｂ・・・屋根パネル、１０・・・樋枠、１１・・・底面部、１２・・・取付壁、１３・・・連結壁、１４・・・排水溝部、１５・・・アタッチメント、２０・・・天井材、２１・・・天井パネル、２２・・・天井パネル、２３・・・パネル部、２３Ａ・・・パネル部、２４・・・係合部、２４Ａ・・・係合部、２５・・・取付片、２５Ａ・・・取付片、２６・・・被係合部、２６Ａ・・・被係合部、２７・・・ビス、２７Ａ・・・ビス、３０・・・取付材、３１・・・ビス、３２・・・固定部、３３・・・当接部、３４・・・被係合部、４０・・・支持材、４１・・・壁部、４２・・・長孔、４３・・・ビス、５０・・・連結材、５１・・・取付部、５２・・・接続部、５３・・・取付孔、５４・・・ネジ孔、５５・・・ビス、５６・・・ビス、Ｋ・・・水勾配。
【図１】
2020159129.tif 000003
【図２】
2020159129.tif 000004
【図３】
2020159129.tif 000005
【図４】
2020159129.tif 000006
【図５】
2020159129.tif 000007
【図６】
2020159129.tif 000008
【図７】
2020159129.tif 000009
【図８】
2020159129.tif 000010